【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
外部記録装置に接続可能なテレビジョンシステムであって、
表示手段と、
前記外部記録装置から該外部記録装置のステータス情報を受信する受信手段と、
前記ステータス情報の前記表示手段への表示／非表示を設定する設定手段と、
前記設定手段により前記ステータス情報の表示が設定されている場合に、前記ステータス情報を前記表示手段に表示させるように制御し、前記設定手段により前記ステータス情報の非表示が設定されている場合に、前記ステータス情報を前記表示手段に表示させないように制御すると共に、前記外部記録装置に設けられた表示部に前記ステータス情報を表示するために前記外部記録装置を制御する制御手段と
を有することを特徴とするテレビジョンシステム。
【請求項２】
外部記録装置に接続可能なテレビジョンシステムであって、
表示手段と、
前記外部記録装置から、該外部記録装置のステータス情報と、前記外部記録装置が表示部を有するか否かを示す情報とを受信する受信手段と、
前記ステータス情報の前記表示手段への表示／非表示を設定する設定手段とを有し、
前記外部記録装置が表示部を有する場合に、前記設定手段は前記ステータス情報を非表示に設定し、前記外部記録装置が表示部を有さない場合に、前記設定手段は前記ステータス情報を表示に設定することを特徴とするテレビジョンシステム。
【請求項３】
外部記録装置に接続可能なテレビジョンシステムであって、
表示手段と、
前記外部記録装置から該外部記録装置のステータス情報を受信する受信手段と、
前記ステータス情報の前記表示手段への表示／非表示を設定する設定手段と、
放送を含む複数の情報源からコンテンツを入力する複数の入力手段と、
前記複数の情報源のいずれかを選択し、該選択した情報源からのコンテンツを前記表示手段に表示させる選択手段とを有し、
前記設定手段は、前記選択手段により選択された情報源に応じて、前記ステータス情報の表示／非表示を設定することを特徴とするテレビジョンシステム。
【請求項４】
前記選択手段により選択された情報源が一過性のコンテンツを主に提供する情報源である場合に、前記設定手段は、前記ステータス情報を非表示に設定することを特徴とする請求項３に記載のテレビジョンシステム。
【請求項５】
外部記録装置に接続可能なテレビジョンシステムであって、
表示手段と、
前記外部記録装置から該外部記録装置のステータス情報を受信する受信手段と、
前記ステータス情報の前記表示手段への表示／非表示を設定する設定手段と、
前記ステータス情報を表示または非表示にする時間を指定する手段とを有し、
前記設定手段は、前記指定された時間の間、前記ステータス情報を表示または非表示にすることを特徴とするテレビジョンシステム。
【請求項６】
前記設定手段は、放送される番組毎に前記ステータス情報の表示／非表示を設定することを特徴とする請求項１乃至５のいずれか１項に記載のテレビジョンシステム。
【請求項７】
放送中の内容が本編か否かを判別する判別手段を更に有し、
前記設定手段は、更に、本編の表示中は前記ステータス情報を非表示に設定し、本編以外の表示中は前記ステータス情報を表示に設定することを特徴とする請求項１乃至５のいずれか１項に記載のテレビジョンシステム。
【請求項８】
外部記録装置に接続可能な、表示手段を有するテレビジョンシステムの制御方法であって、
前記外部記録装置から該外部記録装置のステータス情報を受信する受信ステップと、
前記ステータス情報の前記表示手段への表示／非表示を設定する設定ステップと、
前記設定ステップにおいて前記ステータス情報の表示が設定されている場合に、前記ステータス情報を前記表示手段に表示し、前記設定ステップにおいて前記ステータス情報の非表示が設定されている場合に、前記ステータス情報を前記表示手段に表示せず、前記外部記録装置に設けられた表示部に前記ステータス情報を表示するように制御する表示制御ステップと
を有することを特徴とする制御方法。
【請求項９】
外部記録装置に接続可能な、表示手段を有するテレビジョンシステムの制御方法であって、
前記外部記録装置から、該外部記録装置のステータス情報と、該外部記録装置が表示部を有するか否かを示す情報とを受信する受信ステップと、
前記ステータス情報の前記表示手段への表示／非表示の設定において、前記外部記録装置が表示部を有する場合に前記ステータス情報を表示に設定し、前記外部記録装置が表示部を有さない場合に前記ステータス情報を表示に設定する設定ステップと
を有することを特徴とする制御方法。
【請求項１０】
外部記録装置に接続可能な、表示手段を有するテレビジョンシステムの制御方法であって、
前記外部記録装置から該外部記録装置のステータス情報を受信する受信ステップと、
放送を含む複数の情報源からコンテンツを入力する複数の入力ステップと、
前記複数の情報源のいずれかを選択し、該選択した情報源からのコンテンツを前記表示手段に表示させる選択ステップと、
前記選択ステップにおいて選択された情報源に応じて、前記ステータス情報の前記表示手段への表示／非表示を設定する設定ステップと
を有することを特徴とする制御方法。
【請求項１１】
前記選択ステップにおいて選択された情報源が一過性のコンテンツを主に提供する情報源である場合に、前記設定ステップでは、前記ステータス情報を非表示に設定することを特徴とする請求項１０に記載の制御方法。
【請求項１２】
外部記録装置に接続可能な、表示手段を有するテレビジョンシステムの制御方法であって、
前記外部記録装置から該外部記録装置のステータス情報を受信する受信ステップと、
前記ステータス情報を前記表示手段に表示または非表示にする時間を指定するステップと、
前記指定された時間の間、前記ステータス情報を表示または非表示に設定する設定ステップと
を有することを特徴とする制御方法。
【請求項１３】
前記設定ステップでは、放送される番組毎に前記ステータス情報の表示／非表示を設定することを特徴とする請求項８乃至１２のいずれか１項に記載の制御方法。
【請求項１４】
放送中の内容が本編か否かを判別する判別ステップを更に有し、
前記設定ステップでは、更に、本編の表示中は前記ステータス情報を非表示に設定し、本編以外の表示中は前記ステータス情報を表示に設定することを特徴とする請求項８乃至１２のいずれか１項に記載の制御方法。
【請求項１５】
情報処理装置に、請求項８乃至１４のいずれか１項に記載のテレビジョンシステムの制御方法を実行させるためのプログラム。
【請求項１６】
請求項１５に記載のプログラムを格納したことを特徴とする情報処理装置が読み取り可能な記憶媒体。
【手続補正２】
【補正対象書類名】明細書
【補正対象項目名】００１４
【補正方法】変更
【補正の内容】
【００１４】
上記目的を達成するために、外部記録装置に接続可能な本発明のテレビジョンシステムは、表示手段と、前記外部記録装置から該外部記録装置のステータス情報を受信する受信手段と、前記ステータス情報の前記表示手段への表示／非表示を設定する設定手段と、前記設定手段により前記ステータス情報の表示が設定されている場合に、前記ステータス情報を前記表示手段に表示させるように制御し、前記設定手段により前記ステータス情報の非表示が設定されている場合に、前記ステータス情報を前記表示手段に表示させないように制御すると共に、前記外部記録装置に設けられた表示部に前記ステータス情報を表示するために前記外部記録装置を制御する制御手段とを有する。
【手続補正３】
【補正対象書類名】明細書
【補正対象項目名】００１５
【補正方法】変更
【補正の内容】
【００１５】
また、外部記録装置に接続可能な、表示手段を有するテレビジョンシステムの本発明の制御方法は、前記外部記録装置から該外部記録装置のステータス情報を受信する受信ステップと、前記ステータス情報の前記表示手段への表示／非表示を設定する設定ステップと、前記設定ステップにおいて前記ステータス情報の表示が設定されている場合に、前記ステータス情報を前記表示手段に表示し、前記設定ステップにおいて前記ステータス情報の非表示が設定されている場合に、前記ステータス情報を前記表示手段に表示せず、前記外部記録装置に設けられた表示部に前記ステータス情報を表示するように制御する表示制御ステップとを有する。
また、別の構成によれば、外部記録装置に接続可能な本発明のテレビジョンシステムは、表示手段と、前記外部記録装置から、該外部記録装置のステータス情報と、前記外部記録装置が表示部を有するか否かを示す情報とを受信する受信手段と、前記ステータス情報の前記表示手段への表示／非表示を設定する設定手段とを有し、前記外部記録装置が表示部を有する場合に、前記設定手段は前記ステータス情報を非表示に設定し、前記外部記録装置が表示部を有さない場合に、前記設定手段は前記ステータス情報を表示に設定する。
また、外部記録装置に接続可能な、表示手段を有するテレビジョンシステムの本発明の制御方法は、前記外部記録装置から、該外部記録装置のステータス情報と、該外部記録装置が表示部を有するか否かを示す情報とを受信する受信ステップと、前記ステータス情報の前記表示手段への表示／非表示の設定において、前記外部記録装置が表示部を有する場合に前記ステータス情報を表示に設定し、前記外部記録装置が表示部を有さない場合に前記ステータス情報を表示に設定する設定ステップとを有する。
更に別の構成によれば、外部記録装置に接続可能な本発明のテレビジョンシステムは、表示手段と、前記外部記録装置から該外部記録装置のステータス情報を受信する受信手段と、前記ステータス情報の前記表示手段への表示／非表示を設定する設定手段と、放送を含む複数の情報源からコンテンツを入力する複数の入力手段と、前記複数の情報源のいずれかを選択し、該選択した情報源からのコンテンツを前記表示手段に表示させる選択手段とを有し、前記設定手段は、前記選択手段により選択された情報源に応じて、前記ステータス情報の表示／非表示を設定する。
また、外部記録装置に接続可能な、表示手段を有するテレビジョンシステムの本発明の制御方法は、前記外部記録装置から該外部記録装置のステータス情報を受信する受信ステップと、放送を含む複数の情報源からコンテンツを入力する複数の入力ステップと、前記複数の情報源のいずれかを選択し、該選択した情報源からのコンテンツを前記表示手段に表示させる選択ステップと、前記選択ステップにおいて選択された情報源に応じて、前記ステータス情報の前記表示手段への表示／非表示を設定する設定ステップとを有する。
また、更に別の構成によれば、外部記録装置に接続可能な本発明のテレビジョンシステムは、表示手段と、前記外部記録装置から該外部記録装置のステータス情報を受信する受信手段と、前記ステータス情報の前記表示手段への表示／非表示を設定する設定手段と、前記ステータス情報を表示または非表示にする時間を指定する手段とを有し、前記設定手段は、前記指定された時間の間、前記ステータス情報を表示または非表示にする。
また、外部記録装置に接続可能な、表示手段を有するテレビジョンシステムの本発明の制御方法は、前記外部記録装置から該外部記録装置のステータス情報を受信する受信ステップと、前記ステータス情報を前記表示手段に表示または非表示にする時間を指定するステップと、前記指定された時間の間、前記ステータス情報を表示または非表示に設定する設定ステップとを有する。
【手続補正４】
【補正対象書類名】明細書
【補正対象項目名】００２１
【補正方法】変更
【補正の内容】
【００２１】
アンテナ３を介して受信した放送は、TVチューナ２内部で映像処理等の過程を経由したのち、TVパネル１にて表示される。４はメモリカードであり、TVチューナ２に配置されたメモリカードスロットに挿入することにより、メモリカード４に記録された画像情報等を取り込み、TVパネル１に表示することができる。５はLANケーブルであり、不図示のルータ等を介してインターネット回線６に接続する。
【手続補正５】
【補正対象書類名】明細書
【補正対象項目名】００２８
【補正方法】変更
【補正の内容】
【００２８】
まず、ステップＳ１０１において、ステータス情報を記録装置７から受信したかどうかを判断する。ステータス情報を受信するとステップＳ１０２に進み、ステータス情報を表示するように設定されているかどうかを判断する。表示するように設定されている場合には、ステップＳ１０３においてTVパネル１にステータス情報を所定時間表示して処理を終了する。一方、表示するように設定されていない場合（非表示に設定）には、ステータス情報を表示せずに処理を終了する。なお、ステップＳ１０２における表示／非表示の判定は、TVチューナ２内のＣＰＵなどにより行う。
【手続補正６】
【補正対象書類名】明細書
【補正対象項目名】００５０
【補正方法】変更
【補正の内容】
【００５０】
＜第３の実施形態＞
第１の実施形態で説明したように、図１に示すTVシステムでは、放送、メモリカード、LAN（インターネット）の３つの情報源から取得した各種コンテンツを表示可能であり、情報源の切り換えは図２の切り換えボタン１３で行う。３つの情報源から得られるコンテンツはそれぞれ性格が異なるため、本第３の実施形態では、情報源に基づいてTV表示ON/OFFの制御を行う場合について、図１１を参照して説明する。
【手続補正７】
【補正対象書類名】明細書
【補正対象項目名】００５１
【補正方法】変更
【補正の内容】
【００５１】
まず、ステップＳ３１において情報源を切り換えて、表示画面を切り換えるための切り換えボタン１３のいずれかが押されたかどうかを判断する。
【手続補正８】
【補正対象書類名】明細書
【補正対象項目名】００５２
【補正方法】変更
【補正の内容】
【００５２】
切り換えボタン１３が押されるとステップＳ３２に進み、TVボタンが押されたかどうかを判断する。TVボタンが押下された場合には、TV表示OFFに設定し（ステップＳ３３）、更に、図８に示すTV表示ON／OFFの切り換えを禁止する（ステップＳ３４）。このように、放送をユーザが選択している場合には、TVへのステータス情報の表示を禁止する。
【手続補正９】
【補正対象書類名】明細書
【補正対象項目名】００５７
【補正方法】変更
【補正の内容】
【００５７】
このように、複数の情報源からの内容を表示可能なTVシステムの場合、情報源に応じて、TVへのステータス情報表示のON／OFFを切り換えることで、操作性を向上することができる。
【手続補正１０】
【補正対象書類名】明細書
【補正対象項目名】００５８
【補正方法】変更
【補正の内容】
【００５８】
なお、本第３の実施形態では、情報源がTVである場合にTV表示ONにし、そうでない場合にはTV表示OFFとしたが、情報源とTV表示ON／OFFの関係をユーザが予め設定するようにしても良い。その場合、切り換えボタン１３の押下に応じて、ユーザにより設定されたTV表示ON／OFF制御が行われることになる。
【手続補正１１】
【補正対象書類名】明細書
【補正対象項目名】００６２
【補正方法】変更
【補正の内容】
【００６２】
３８はTV表示完全ONボタンで、どのような場合にもステータス情報をTVパネル１に表示する。３９は、TV表示完全OFFボタンであり、ステータス情報をTV表示しない。４０は本編以外ではステータス表示し、本編中には自動で表示が消える設定である。例えば、用紙ジャムが起きた場合、ジャム処理がユーザによって行われるまで、本編以外の時間帯に継続してジャム表示する。図１２のように、本編以外ONボタン４０を押すとこの設定になる。なお、本編と本編以外を区別する技術は、音声多重放送の有無や無音期間検出などによりすでに実現しており、これらを利用して本編以外でステータス情報のTV表示をONにできる。